(57)【特許請求の範囲】
【請求項１】
外側底部（４）と、装着者の足部と脚下部とを包囲する外側胴部（２）とを含む柔軟なスポーツ靴であって、
前記外側胴部が、不伸長性の柔軟な材料から成りかつ前記外側胴部および前記外側底部に付着されている柔軟な構造体（１０）を有し、
前記柔軟な構造体は、脚下部の後の足首部の上で上方に延びる背面部分を有し、さらに、前記背面部分から側面に沿って前方に延びる少なくとも一つの細長い側方分岐部を有し、
前記柔軟な構造体の前記側方分岐部は前記外側底部の上で間隔が開けられており、そして
前記柔軟な構造体の前記側方分岐部は、装着者の中足指節関節の領域に近接して前記外側底部に結合されている、ことを特徴とする柔軟なスポーツ靴。
【請求項２】
前記柔軟な構造体（１０）が前記外側底部（４）から前記外側胴部（２）の上端まで延在する背面部分（１１）と、前記背面部分（１１）の上端（１４）を側方で靴の一側面に連結する少なくとも１の側方分岐部（１５）とを含むことを特徴とする請求項１に記載のスポーツ靴。
【請求項３】
対称的に配設される２の側方分岐部（１５）を含むことを特徴とする請求項２に記載のスポーツ靴。
【請求項４】
各側方分岐部（１５）が、接続用肢部（１６）により、足部の中足骨／指骨関節の箇所で、前記外側底部に固定されることを特徴とする請求項２または３に記載のスポーツ靴。
【請求項５】
少なくとも１の側方分岐部（１５）が緊締手段（３１）を含むことを特徴とする請求項２、３または４に記載のスポーツ靴。
【請求項６】
前記背面部分（１１）が、側方に、少なくとも１つのフラップ（３２）を含み、前記フラップは緊締手段（３３）を備え、かつ前記外側胴部（２）の高部箇所に位置することを特徴とする請求項２ないし５のいずれか１項に記載のスポーツ靴。
【請求項７】
前記背面部分（１１）が、側方に、対称的に配設される２のフラップ（３２、３２ａ）を含むことを特徴とする請求項２ないし６のいずれか１項に記載のスポーツ靴。
【請求項８】
前記柔軟な構造体（１０）が、その下端の各々において、前記外側胴部（２）と前記外側底部（４）に固定されることを特徴とする請求項１ないし７のいずれか１に記載のスポーツ靴。
【請求項９】
取付け用中敷き（７）と前記外側底部（４）との間に靴胴部の取付け箇所を有し、前記柔軟な構造体の下端（１３、１６）の各々が前記取付け箇所に固定されることを特徴とする請求項１ないし８のいずれか１に記載のスポーツ靴。
【請求項１０】
前記柔軟な構造体の下端（１３、１６）の各々が、縫合（２４）によって、前記外側胴部（２）の下端に固定されることを特徴とする請求項１ないし９のいずれか１に記載のスポーツ靴。
【請求項１１】
前記柔軟な構造体（１０）が、縫合によって、前記外側胴部に固定されることを特徴とする請求項１ないし１０のいずれか１に記載のスポーツ靴。
【請求項１２】
前記各側方分岐部（１５）が、接続用肢部（１６、１７、１８）のみを介して靴胴部（２）および靴底部（４）に固定され、かつ弾性変形可能な自由部分を全て保存することを特徴とする請求項３ないし１１のいずれか１に記載のスポーツ靴。
【請求項１３】
外側底部（４）と外側胴部（２）とを含み、前記外側胴部は前記外側底部上に乗っていて装着者の足部と脚下部とを包囲する柔軟なスポーツ靴であって、前記外側胴部（２）が不伸長性の柔軟な材料でできており、かつ前記靴胴部と前記底部と一体の柔軟な構造体（１０）を含み、前記柔軟な構造体は脚下部の後方で垂直に延在し、かつ背面部分と前記底部に各々の端部で連結される足部に沿って側方に延在する少なくとも１つの側方部分を含むことを特徴とする柔軟なスポーツ用の靴。
【請求項１４】
前記背面部分（１１）が、足部の踵の後の部分の箇所に、くり抜き部（３０）を含むことを特徴とする請求項２ないし６のいずれか１に記載のスポーツ靴。
【請求項１５】
前記背面部分（１１）が切込み部を有し、その内端部が前記くり抜き部（３０）に連通することを特徴とする請求項１４に記載のスポーツ靴。
【請求項１６】
前記背面部分（１１）が後方部材（１１０）を構成するとともに、少なくとも１つのフラップ（３２）を含み、また少なくとも１つの側方分岐部（１５）が前方部材（１１１）を構成すること、および前記前方部材（１１１）が適宜な固定手段（１１２）を含んで、前記前方部材（１１１）を前記背面部分（１１）の箇所で前記後方部材（１１０）に固定するようにしたことを特徴とする請求項２ないし６のいずれか１項に記載のスポーツ靴。
【請求項１７】
前記各側方分岐部（１５）の各々が、更に、ほぼ靴の屈曲襞部に沿って配向される接続用肢部（１７）によって前記背面部分（１１）に連結されることを特徴とする請求項２、３または４に記載のスポーツ靴。
【請求項１８】
前記背面部分（１１）が、踵部を取り囲むように広がる下方部分（１２）を有することを特徴とする請求項２ないし５のいずれか１に記載のスポーツ靴。
【発明の詳細な説明】
【０００１】
本発明は、スポーツ靴、とりわけスノーボード靴、ローラースケート靴、スケートボード靴、アイススケート靴、クロスカントリー靴、ショート・スキー靴、″テレマーク″スキー靴等の柔軟性を有する型式の滑走スポーツ用の靴の補強システム、すなわち構造体（スケルトン）を目的とする。
【０００２】
この種の靴は、対象とするスポーツを実施できるよう、使用者の足と滑走用具（すなわち、スケート、サーフボード、スキー等）との連結を保証するためのものである。これらの靴は、足部に対して脚部が或る程度屈曲運動ができるようにするとともに、他の方向に向かう幾らかの運動をも妨げないようにするため十分に柔軟であると同時に、使用者の脚部が及ぼす応力を滑走用具に伝達するためおよび／またはスポーツの実施に必要な或る一定の方向に堅固な支承を提供するため十分に剛直でなければならない。
【０００３】
事実、問題となるのは、完全に矛盾する要求（すなわち、一方では、或る程度の快適さと或る程度の柔軟な保持を足部と脚部に保証し、かつスポーツ実施中に遭遇する状況または所望する状況に応じてさまざまな姿勢を取り得ること、また他方では、滑走用具（スケート、スキー、スノーボード等）の寸法が大きければ大きいほど、あるいはスポーツが多くの場合高速で実施されたり、および／または多少なりともアクロバット的な演技で実施されたりすればするほど、強力でなければならない堅固な支承を使用者の足部と脚部に保証すること、という要求）である。
【０００４】
例えば、スポーツ用具の寸法に応じたレバーの腕部（アーム）は、ときには非常に大きな応力を足部または脚部にもたらす。更に、足部および／または脚部は、前方および後方へ向けてだけではなく、実施するスポーツの種類に応じて側方に、および／または捩じれにおいても同様に保持されることを必要とし、この堅固な保持の必要性は快適さの概念と矛盾する。
【０００５】
同様に、スノーサーフィン、アルペンスキー、スケートにおいては、一般に脚部の後方支承が求められるが、この支承は実施するスポーツに応じて多かれ少なかれ剛直である。
【０００６】
歴史的に見て、スキー靴は、比較的柔軟な構造（革靴）から極めて硬質のプラスチック材料製へと進化してきた。スノーボード（すなわち、スノーサーフィン）においては、あるいはアルペン技術から生じた剛直な構造の靴、あるいはスノーブーツから生じた柔軟な構造の靴が見られる。
【０００７】
柔軟な靴に関しては、このような靴は、一般に、靴底および靴の後部に対して足部を密着させようとする靴紐装置によって靴胴部（皮革製、織物製、柔軟性なプラスチック製）を足部脚下部に接近させ、該靴胴部の変形によって足部の保持を確保する。
【０００８】
例えばフランス特許第２７０２９３５号明細書から、靴の外側に配設され、かつスポーツの実施中に応力および支承の反復を集中させるための剛直な外部構造体（スケルトン）を設けることが知られている。この外部構造体は、一般に、多少なりとも剛直な靴底と一体の剛直な後方踵革、および、該後方踵革にヒンジ連結されて、脚下部を囲繞するための締め環からなる。この種の構造は、とりわけスケート靴、同じくスノーサーフィン靴についても知られている。このヒンジ連結された締め環は、あるいは内部に、あるいは外部に配設できる。
【０００９】
この構造は、快適性と剛直性、および足部／脚部の保持の諸局面を調和させることによって、柔軟な靴の製造を著しく改善可能にした。
【００１０】
しかしながら、この構造は、往々にしてヒンジ連結された締め環の箇所で「非快適性」という問題を生じる。他方、硬質部分に用いられる剛直な材料は、靴の重量を増加させる原因となる。
【００１１】
本発明の目的は、これら諸欠点を除去すること、および、使用が容易で、かつ低廉な柔軟性のある靴の新規な構造を提供することにある。この構造は応力と支承の良好な伝達を可能にし、かつ靴の柔軟な構造を最大限に尊重しながら、或る所定の方向に沿ってスポーツを実施するのに適した剛性を有する。
【００１２】
この目的は、足部と脚下部を包む外側靴底と外側靴胴部とを含む型式の本発明による靴によって達成され、その特徴は外側靴胴部が、該靴胴部と靴底と同時に一体で、かつ応力／支承の最適な方向に沿って配設される、ほぼ伸長不能な柔軟材料で作られた柔軟な構造体を含むことにある。
【００１３】
驚くべきことに、靴底と靴胴部に対するこの構造体の連結は、該構造体の柔軟性にもかかわらず、この構造体の箇所で靴胴部を著しく強化可能にするとともに、選定された応力／支承を伝達可能にする。
【００１４】
他方、柔軟な材料の選定により、それを靴胴部に容易に使用することができる。
【００１５】
靴胴部に対するこの柔軟な材料の連結は縫合によって実現するのが好ましい。
【００１６】
いずれにせよ、添付の概略図を参照して、以下の記載を読むことにより、本発明はより良く理解され、また本発明のその他の特徴も明らかとなろう。
【００１７】
図１は、靴（この場合には、本発明による柔軟な構造体１０（点線で表示）を内臓するスノーサーフィン靴）を表す。もちろん、スノーサーフィン靴への適用は非限定的な例として表しただけであり、本発明は他のどのようなスポーツ靴（とりわけ、スキー靴、クロスカントリー靴、スケート靴等、類似または同一の問題を解決しなければならない滑走スポーツ用の靴）にも利用できる。
【００１８】
靴１は、装着者の足部／脚部を包み、かつ靴紐３またはその他なんらかの閉鎖用手段によって装着者の足部／脚部に緊締できる、外側靴胴部（靴の甲革）２と靴底構造（すなわち、外側靴底）４とを含む。
【００１９】
この靴はまた、靴の種類によって、内靴５をも含むことができる。
【００２０】
外側靴胴部２の内側には、図２から図４により詳細に図示され、かつ、例えば図５に示すような、取付け用敷き革７を介して外側靴底４と外側靴胴部２に同時に固定される柔軟な構造体１０が配設される。
【００２１】
帯状材料（バンド）から成るこの柔軟な構造体１０は、ほぼ外側靴底４から靴胴部の上端箇所（すなわち、脛骨の高さのほぼ半ば）まで延在する背面部分１１を後部に含む。
【００２２】
背面部分１１は、踵部包囲し、かつ踵の効果的な保持を確保するための末広がり状の部分をその下端１２に有する。
【００２３】
この下端１２は、更に、外側靴底４へ連結するための肢部（patte）１３を備える。
【００２４】
同様に、背面部分１１の上端１４は、ふくらはぎの包み込みと、支承のより良好な配分を可能にするため末広がり状になっている。
【００２５】
背面部分１１の上端１４は、その両側で、この場合にはほぼＣ字状をした側方分岐部１５を介して外側靴底４に連結される。
【００２６】
各側方分岐部１５は、更に、外側靴底４との連結を確保するための垂直な接続用肢部１６を備える。
【００２７】
外側靴底４に対する垂直な肢部１６の連結は、スポーツ実施中に生じる応力を最適に伝達するため、ほぼ足の中足骨／指骨関節の箇所で行うのが好ましい。
【００２８】
実施するスポーツの種類に応じて、この連結は、もちろん中足骨／指骨関節の前方または後方に配設してもよい。
【００２９】
最後に、各側方分岐部１５は、ほぼ屈曲襞部に沿って方向づけられる接続用肢部１７および第二の接続用肢部１８により、屈曲襞部の箇所および背面部分１１の上端１４の箇所でそれぞれ該背面部分１１に連結される。
【００３０】
柔軟な構造体１０の各部分１１、１５、１７および１８は、対象となる運動を実施するときに掛かる通常の値の応力に対してほぼ伸長不能な柔軟材料（すなわち、ほぼ延伸不能な材料）でできている。実際には、ポリ塩化ビニール（pvc）、ポリアミド、ポリエチレン、ポリウレタン等の材料を用いることができる。
【００３１】
構造体１０は、単一ブロック構造であることが好ましいが、これは必須のものではない。
【００３２】
構造体１０は、二通りの方法で外側靴胴部２と外側靴底４に固定される。
【００３３】
構造体１０は、まず、それぞれ別々の縫合２０と２１で靴胴部２と一体にされる。
【００３４】
縫合２０により背面部分１１の各縁部を外側靴胴部２に連結するのに対して、縫合２１により各側方分岐部１５の各接続用肢部１６、１７、１８を靴胴部に連結して、外側靴胴部２に対する各側方分岐部１５の長手方向における運動の可動性の可能性を或る程度残す。
【００３５】
この縫合２０と２１は、図示のように三重であっても良いし、あるいは単一または二重、等であっても良い。
【００３６】
縫合２１は、美観を理由に靴胴部の連続する縫合２２と合流させることができる。構造体の下端部を靴胴部に連結するには、図３に示すように低位置周縁縫合２４および／または端部１３と１６が接着および／または鋲２６によって固定される取付け用敷き革７を介して行ってもよい。
【００３７】
驚くべきことに、また柔軟な構造体１０に用いる材料の柔軟性にもかかわらず、この構造体１０と靴胴部および外側靴底との連結は、靴胴部の剛直化と応力の伝達ならびに前方撓曲時の靴胴部の或る程度の付勢化（energisation）に寄与する。
【００３８】
実際、側方分岐部に繋がっている背面部分１１は、使用する材料の不伸長によって後方支承を提供することができる。
【００３９】
同様に、この材料の不伸長性と側方分岐１５の相対的な自由度は、側方分岐部のＣ字形状と相まって、前方撓曲後に後方へ向かう靴胴部の弾性復帰を保証できる。更に、側方分岐部１５は前方への撓曲に或る程度の抵抗を示し、したがってこの撓曲応力が側方分岐部の大きな慣性モーメント区域に沿って現われることにより、或る程度の剛直性を示す。もちろん、剛直性が所望される、「印加応力の方向・対・最大慣性モーメント」を提供するために、側方分岐部をそれ以外の形状または配置構成にすることを案出してもよい。
【００４０】
最後に、中足骨／指骨関節の箇所で側方分岐部と靴底とを連結することにより、応力を中足骨／指骨関節と脚部の最適な方向に沿って伝達することが可能となる。
【００４１】
図６は、本発明の一変形態様による柔軟な構造体１０（点線で表示）を内蔵するスノーサーフィン靴を示す。この柔軟な構造体１０の固有の特性ならびに前述した柔軟な構造体１０と外側靴胴部２および外側靴底４との連結方法は、この変形態様にも同じく適用される。
【００４２】
この変形実施態様は、主として、本記載の対象である補強材の幾何学的形状の特異性と緊締手段の特殊性とにより明確に区別がつく。実際、柔軟な構造体１０の側方分岐部１５は、靴紐のための方向転換手段（すなわち、留め環）のような緊締手段３１を含む。更に、背面部分１１は緊締手段３３（この場合には、靴紐３を通すためのフック）を含む少なくとも１のフラップ３２）を側方に含む。このフラップ３２は、くるぶし（踝）関節の上方で、外側靴胴部２の上部箇所に位置する。背面部分１１は、ほぼ対称的に配設される２のフラップ３２、３２ａを含むのが有利である。
【００４３】
靴紐３から成る緊締手段全体は、外側靴胴部２と柔軟な構造体１０上に交互に位置する方向転換手段１０２、１０３、３１、３３のそれぞれを通るのが有利である。この構造的な配置構成は、足による衝撃のために側方分岐部１５上に位置する方向転換手段３１の箇所と、むこうずね（向脛）のためにフラップ３２上に位置する方向転換手段３３の箇所で強力な緊締力を組み合わせ可能にするとともに、くるぶし（踝）のための外側靴胴部２上に位置する方向転換手段１０２の箇所と、足指のための方向転換手段１０３の箇所で顕著な緊締力を組み合わせ可能にする。
【００４４】
もちろん、外側靴胴部２と柔軟な構造体１０上に位置決めした靴紐の方向転換手段（すなわち、留め環）の交互的配置は上述した配置構成と異なっていてもよい。
【００４５】
柔軟な靴を利用する大半のスポーツ（とりわけ、スノーサーフィン）においては、靴に良好な後方支承を保存しておく必要がある。この目的を達成するために、柔軟な構造体１０は、ふくらはぎの箇所で重なり合う少なくとも２の部材からなり、このようにして重なり合う部分１０４ができる。この特殊な組立を図７に示す。背面部分１１は第一の後方部材１１０を含む。また、前方部材１１１は少なくとも１のフラップ３２または少なくとも１の側方帯状部材（バンド）１５を含む。この前方部材１１１は、背面部分１１の箇所で前方部材１１１を後方部材１１０に固定できるようにする縫合のような適宜な固定手段１１２を含む。
【００４６】
後方部材１１０は、後方支承をより良く滑走用具に伝達するため、前方部材１１１よりも幾らか柔軟性の少ない材料で製作すると有利である。また、前方部材１１１のより大きな柔軟性は、足を側方で保持するとともに足を良好に包み込むことを可能にする。側方帯状部材１５は、少なくとも内側で、縫合など適宜な手段で前方部材１１１の背面部分１１に連結すると有利である。該側方帯状部材１５は、前方部材１１１よりもっと柔軟性のある材料（例えば、もっと柔軟性のあるプラスチックまたは不伸長性の織製した帯状部材で作成する。この構造的なの配置構成を尊重することによって、靴の内側撓曲性を向上させることができ、このことはスノーサーフィンの実施にとって有用である。
【００４７】
もちろん、柔軟な構造体１０は、同一部材で作成してもよい。この場合、前述した後方支承と内部側方撓曲は、柔軟な構造体１０の厚さを変化させて得られるか、または柔軟な構造体１０内に剛直化用リブの設置を可能にする熱間成形加工法で得られるか、あるいはその両方によって得られる。
【００４８】
背面部分１１は、靴のほぼ軸面内でほぼ垂直に位置する切込み部１１３を含むと有利である。外側靴胴部２の上部箇所に位置するこの切込み部１１３は、ふくらはぎの箇所で外側靴胴部２の上部を局部的に柔軟にすることによって、後方支承をより快適にすることができる。更に、背面部分１１は、足の踵の後の部分の箇所にくり抜き部３０を含むと有利である。その場合、該背面部分１１は、くるぶしの辺りで側方に延在する少なくとも１の帯状部材１２０を介して外側靴底４に連結される。このくり抜き部３０は、踵のために空間を形成することができ、したがって背面部分１１を靴装着者の足の後部分の形状により良く適合させることを可能にする。このくり抜き部３０は、下端がくり抜き部３０に連通する切込み部１３４で完結させると有利である。靴のほぼ軸面に沿ってほぼ垂直に配設される切込み部１３４が装着者の足のアキレス腱の幾何学的形状に合致するので、この切込み部１３４は背面部分１１を完全にマッチさせることができる。
【００４９】
図７に示す好ましい実施態様において、背面部分１１はくり抜き部３０を含む。柔軟な構造体１０を構成する２の部材１１０と１１１を互に固定できるようにするための固定手段１１２は、この場合には該くり抜き部３０の上方に位置決めされる。
【００５０】
もちろん、柔軟な構造体１０は非対称で、かつ１の側方分岐部１５および／または単一のフラップ３２を含むだけでもよい。この場合、靴紐の箇所で対称性を回復するために、靴紐用の方向転換手段を外側靴胴部２上に配設する。
【００５１】
スノーサーフィン（とりわけ、ジャンプ）を実施するために、次のような幾何学的形状を採用するのが有利である：すなわち、２の対称的分岐部１５；１の側方フラップ（すなわち、外側フラップ３２）；および同一側に１の帯状部材１２０。この配置構成を尊重することにより、外側方への撓曲を剛直にし、かつ良好な後方支承を維持しながら、靴の内側方における撓曲を容易にすることができる。
【００５２】
もちろん、以上で述べた何れの実施態様においても、柔軟な構造体１０は、外側靴胴部２の外側と同様に内側に配設してもよい。
【００５３】
柔軟な構造体の形状と構造もまた、対象となるスポーツの種類に応じて変更できる。したがって、もともと非対称な応力を伝達しなければならないとき、この構造体は対応する非対称な形状を有することになるであろうし、また場合によっては、単一の側方分岐部のみを含むことになろう。
【００５４】
ほぼ伸長不能ありながら柔軟性な材料を使用すれば簡単な縫合または接着により非常に容易に実施可能となるので、この種の構造体の利用が格別容易になることも指摘できよう。
【００５５】
もちろん、本発明は、上述した実施態様のみに限定されるものではなく、類似または同等のすべての実施態様をも含む。
【００５６】
本発明はまた、上述した実施態様に限定されるものではなく、類似または同等の問題が解決されなければならない全ての靴にも同じく適用される。
【図面の簡単な説明】
【図１】本発明による柔軟な構造体を含む靴の斜視図である。
【図２】柔軟な構造体を示す斜視図で、靴は点線で概略的に表される。
【図３】取付け前の柔軟な構造体を内臓する靴胴部の展開図である。
【図４】柔軟な構造体と靴底との連結を示す底面斜視図で、靴胴部は表されていない。
【図５】図１のＶ−Ｖ線に沿って見た部分断面図である。
【図６】本発明の一変形態様による、柔軟な構造体を内臓する靴の斜視図である。
【図７】同じ変形態様による柔軟な構造体を示す斜視図で、靴は点線で概略的に表されている。
【符号の説明】
２      外側靴胴部
４      外側底部
１０    柔軟な構造体（スケルトン）
１１    背面部分
１２    末広がり状の低部分
１３    下端
１４    上端
１５    側方分岐部
１６，１７，１８    接続用肢部
２４    縫合部
３０    くり抜き部
３１，３３    緊締手段
３２，３２ａ    フラップ
１１０    後方部材
１１１    前方部材
１１２    固定手段
１３４    切込み部
【図１】
0004767387.tif 000002
【図２】
0004767387.tif 000003
【図３】
0004767387.tif 000004
【図４】
0004767387.tif 000005
【図５】
0004767387.tif 000006
【図６】
0004767387.tif 000007
【図７】
0004767387.tif 000008